(57)【特許請求の範囲】
【請求項１】
多数の珠が糸に直列に通されてなるネックレスの一部をなす、任意の一対の珠と他の任意の一対の珠とをこれらが互いに並列をなすように留めるための留め具であって、
基部と、
前記基部にそれぞれ枢動可能に支持された一対の把持部であって、各把持部が、該把持部の枢動により前記基部に対して近接した近接状態と前記基部から離隔した離隔状態とにおかれる自由端部分を有し、該自由端部分が前記近接状態におかれるとき、一対の珠間分け入り前記基部と共同してネックレスの一部を把持可能であり、また、前記離隔状態におかれるとき、前記ネックレスの一部の把持を解除可能である一対の把持部と、
各把持部の自由端部分が前記近接状態から前記離隔状態へ移行しないように各把持部の枢動を制限する機能を有する枢動制限機構とを含み、
前記基部は、本体と、該本体の両端からそれぞれ伸びる一対の突出端部とを備え、
前記本体内部には、該本体の両端で開放する空間が設けられ、
前記空間に前記枢動制限機構の一部をなす１又は複数のばね部材が、前記把持部と前記本体との間で形成される把持空間に露出しないように配置され、
前記ばね部材の両端部がそれぞれ本体から両突出端部に突出している
ことを特徴とする、留め具。
【請求項２】
前記突出端部には、前記ばね部材を前記空間に挿入することができる孔が設けられている
ことを特徴とする請求項１に記載の留め具。
【請求項３】
前記ばね部材は板ばねである
ことを特徴とする請求項１又は２に記載の留め具。
【請求項４】
前記本体及び前記把持部の少なくとも何れか一方の珠間に分け入る部分は、テーパー状をなすように形成されている
ことを特徴とする請求項１乃至３の何れかに記載の留め具。
【発明の詳細な説明】
【技術分野】
【０００１】
本発明は、装身具であるネックレスに適用される留め具、より詳細には多数の珠が糸に通されてなるリング状又は長いひも状（ラリエット状）のネックレス（以下、単に「ネックレス」という。）に適用される留め具に関する。
【背景技術】
【０００２】
留め具は、ネックレスの装飾効果をより多彩なものとすべく、ネックレスの一部と他の一部とを束ね、これによりネックレスの全体的な形態を変更するために用いられる。例えば、留め具を用いて、リング状のネックレスの互いに相対する一部同士を束ねることにより、元の形態を８の字状の形態に変更することができる。
【０００３】
従来、留め具の一つとして、後記特許文献１（特にその図３（Ａ））に開示された態様のものが用いられている。
【０００４】
この従来の留め具は、基本的に、基部と該基部に枢動可能に支持された単一の把持部とを備える。前記基部と前記把持部とは、これらの間にネックレスの一部をなす一対の珠の間を伸びる糸の一部と、他の一部をなす一対の珠の間を伸びる糸の一部とを並列した状態で受け入れ、次いで挟み込み、これによりネックレスの一部同士を並列状態で結束するように機能する。前記基部と前記把持部との間へのネックレスの一部の糸部分及び他の一部の糸部分の受け入れは、前記基部に対して前記把持部をその自由端部分が前記基部から離れる方向へ枢動させた状態で行い、また、ネックレスの両糸部分の挟み込みすなわち把持はこれらを前記基部と前記把持部との間に受け入れた後、前記把持部をその自由端部分が前記基部に近接する方向へ枢動させることにより行うことができる。ネックレスの両糸部分の把持状態は、前記把持部の自由端部分に設けられたフックを前記基部に設けられたフック留めに係止することにより維持される。
【０００５】
ところで、前記従来の留め具においては、ネックレスの両糸部分の前記基部に対する挟み込み又は把持の作用が単一の把持部によって維持されることから、前記把持部が何らかの理由で、例えば着衣への引っ掛かりによってその自由端部分のフックがフック留めから外れるとその把持作用が失われ、留め具がネックレスから外れ落ち、その紛失につながるという問題がある。また、望み通りの位置においてネックレスの両糸部分を単一の把持部で一時に把持するという行為は、片方の手の指で２対の珠をつまみこれらが互いにずれないようにしながら片方の手の指で前記把持部の操作を行うところ、このように行うことは実際には困難であるという問題がある。
【先行技術文献】
【特許文献】
【０００６】
【特許文献１】特開２００３−２３５６２１号公報
【発明の概要】
【発明が解決しようとする課題】
【０００７】
したがって、本発明の目的は、ネックレスから外れにくい留め具を提供することにある。また、本発明の他の目的は、操作のより容易な留め具を提供することにある。
【課題を解決するための手段】
【０００８】  （請求項１に記載の発明の特徴）
請求項１に記載の発明は、多数の珠が糸に直列に通されてなるネックレスの一部をなす、任意の一対の珠と他の任意の一対の珠とをこれらが互いに並列をなすように留めるための留め具であって、基部と、前記基部に枢動可能にそれぞれ支持された一対の把持部であって、各把持部が、該把持部の枢動により前記基部に対して近接した近接状態と前記基部から離隔した離隔状態とにおかれる自由端部分を有し、該自由端部分が前記近接状態におかれるとき、一対の珠間に分け入り前記基部と共同して、前記ネックレスの一部を把持可能であり、また、前記離隔状態におかれるとき、前記ネックレスの一部の把持を解除可能である一対の把持部と、各把持部の自由端部分が前記近接状態から前記離隔状態へ移行しないように各把持部の枢動を制限する機能を有する枢動制限機構とを含み、前記基部は、本体と、該本体の両端からそれぞれ伸びる一対の突出端部とを備え、前記本体内部には空間が設けられ、前記空間に前記枢動制限機構の一部をなす１又は複数のばね部材が、前記把持部と前記本体との間で形成される把持空間に露出しないように配置され、前記ばね部材の両端部がそれぞれ本体から両突出端部に突出していることを特徴とする。【０００９】
請求項１に記載の発明によれば、留め具によるネックレスの一部と他の一部との結束は次のようにして行うことができる。
すなわち、ネックレスの一部をなす一対の珠を留め具の基部と、該基部に対して前記離隔状態におかれた一方の把持部との間におき、該一方の把持部を枢動させてこれを前記近接状態におき、次いで、ネックレスの他の一部をなす一対の珠についても同様の操作、すなわち他の一対の珠を前記基部と、該基部に対して前記離隔状態におかれた他の一方の把持部との間におき、該他の一方の把持部を枢動させて前記近接状態におく。各把持部を前記近接状態におくことにより、前記基部と各把持部とが共同してネックレスの各一対の珠を把持する。各一対の珠の把持状態は、各把持部の枢動を制限する枢動制限機構の機能により維持され、これにより、ネックレスの一部と他の一部とが結束される。ネックレスの結束状態は、前記枢動制限機構の制限機能を解除して各把持部を反対方向に枢動させ、これを離隔状態におくことにより解除することができる。
【００１０】
本発明にあっては、留め具の基部と共同してネックレスの一部と他の一部とを把持する作用をなす把持部の数量を一対とし、ネックレスの一部及び他の一部をそれぞれ一方の把持部及び他方の把持部にて把持するものとしたことから、ネックレスの一部と他の一部とについての把持操作を個別にまた順次に行うことができる。この把持操作は、単一の把持部でネックレスの一部と他の一部とをまとめて一時に行う前記従来の場合における把持操作と比べて、確実にまた容易に行うことができる。また、ネックレスの着用中に例えば両把持部の一方が着衣に引っ掛かるなどして前記糸の把持作用が解除されることがあっても、他の一方の把持部による他の一部の把持作用の維持により、ネックレスから留め具が外れ落ちたり、これに伴う留め具の紛失を防止することができる。また、一方の把持部がネックレスの一部から外れている状態は、ネックレス着用者の自らの気付きや周囲の者の指摘の機会が与えられ、これを解消することができる。
【００１１】  （請求項２に記載の発明の特徴）
請求項２に記載の発明は、請求項１に記載の発明の構成要素に加えて、前記突出端部には、前記ばね部材を前記空間に挿入することができる孔が設けられていることを特徴とする。【００１２】  本発明によれば、請求項１に記載の発明の作用・効果に加えて、前記ばね部材は、突出端部に設けられた孔を通して、前記空間内にその外部から挿入することができる。【００１３】  （請求項３に記載の発明の特徴）
請求項３に記載の発明は、請求項１または２に記載の発明の構成要素である前記ばね部材が板ばねであることを特徴とする。【００１５】  （請求項４に記載の発明の特徴）
請求項４に記載の発明は、請求項１乃至３に記載の発明の構成要素に加えて、前記本体及び前記把持部の少なくとも何れか一方の珠間に分け入る部分は、テーパー状をなすように形成されていることを特徴とする。【００１６】  本発明によれば、請求項１乃至３に記載の発明の作用・効果に加えて、各対の珠間への分け入り及び糸部分の引き伸ばし量を最小限とすることができる。
【発明の効果】
【００２５】
本発明によれば、ネックレスについての留め具の取付操作を、前記従来の場合における場合と比べて、より確実にまたより容易に行うことができる。また、ネックレスからの留め具の外れ落ちあるいはこれに伴う留め具の紛失の可能性を低減することができる。
【図面の簡単な説明】
【００２６】
【図１】リング状のネックレスとこれに適用された留め具の正面図及びその背面の部分拡大図である。
【図２】ラリエット状のネックレスとこれに適用された留め具の正面図及びその背面の部分拡大図である。
【図３】図１及び図２に示す留め具の平面図である。
【図４】図１及び図２に示す留め具の背面図である。
【図５】図１及び図２に示す留め具の側面図である。
【図６】図１及び図２に示す装飾部とは形状を異にする装飾部を有する留め具の他の例の平面図である。
【図７】図１及び図２に示す留め具の断面図である。
【図８】図１及び図２に示す留め具の基部の断面図である。
【図９】図１及び図２に示す留め具の基部及びブラケットの側面図である。
【図１０】図１及び図２に示す留め具の把持部を示す正面図である。
【図１１】図１及び図２に示す留め具であってその両把持部が離隔状態におかれた留め具の底面図である。
【図１２】図６に示す留め具であって両把持部の一方が近接状態におかれかつ他の一方が離隔状態におかれた留め具の正面図である。
【図１３】図６に示す留め具であって両把持部の一方が近接状態におかれ、他の一方を近接状態におくべくこれが枢動されている状態にある留め具の正面図である。
【図１４】本実施形態の変形例を示す正面図である。
【図１５】本実施形態の変形例を示す正面図である。
【図１６】本実施形態の変形例を示す図である。
【発明を実施するための形態】
【００２７】
図１及び図２に示すように、本発明に係る留め具１は、図示の例における金属製のもの、あるいはプラスチック製等のものからなり、多数の珠３が糸５に通されてなるリング状のネックレス７（図１）又は長いひも状（ラリエット状）のネックレス９（図２）に適用される。図示の例では、留め具１により、リング状のネックレス７が全体に８の字状を呈するように、その一部Ａと他の一部Ｂとにおいて束ねられ又は結束されている。また、ラリエット状のネックレス９については、一つのリング状部分と２つの直線状部分とからなるように、その一部Ａと他の一部Ｂとにおいて留め具１により束ねられている。留め具１によるネックレス７，９の結束部分Ａ，Ｂの位置は任意に変更することができ、これに応じてネックレス７，９の全体形状が変化する。なお、本明細書において「糸」とは、天然繊維又は合成繊維をひきのばして縒りをかけたもの（たとえば、絹糸やナイロン糸）のほか、ステンレスワイヤロープや超弾性ワイヤのような金属製のもの、さらに、素材に関わらず細長いもののすべてを含む概念である。
【００２８】
留め具１が適用されるネックレス７，９の珠３は一般的には天然又は模造の真珠からなるが、これが球状又は他の立体形状からなる天然石やビーズからなるものであってもよい。多数の珠３を貫通しこれらを直列につなぐ糸５は例えば細いテグスからなる。ラリエット状のネックレス９には通常その各端部にリング１１が取り付けられている。これらのリング１１を例えば楕円カンや引輪カン等（図示せず）を介して相互に連結することにより、ラリエット状のネックレス９をリング状にすることができる。
【００２９】
留め具１の平面図、背面図及び側面図である図３、図４及び図５を参照すると、留め具１は、基部１３と、基部１３の一部をなす二対のブラケット１５にそれぞれ枢動可能に支持された一対の把持部１７と、両把持部１７の枢動を制限するための枢動制限機構１９とを備える。
【００３０】
留め具１によるネックレス７，９の各一部Ａ，Ｂ同士の結束は、ネックレス７，９の一部Ａを構成する一対の珠Ａ３の間を伸びる糸５の一部Ａ５（図１及び図２参照）と、他の一部Ｂを構成する一対の珠Ｂ３の間を伸びる糸５の一部Ｂ５とを、それぞれ、基部１３と両把持部１７との間にこれらの共同による挟み込み又は把持により行うことができる（図３参照）。
【００３１】
留め具１は、さらに、ピン、針孔、チェーン、リング等の取付構造（図示を省略）基部１３に取り付けられこれを覆う装飾部２１を備えるものとすることができる。図示の装飾部２１は全体にハート形の外形と、湾曲して盛り上がる表面とを有する板状体からなる。図示のハート形の装飾部２１の裏面には、留め具１のより多彩な使用を可能とするために設けられたリング２３が配置されている。このリング２３を利用して例えば留め具１にラリエット状のネックレス７の端部を連結し、かつ、ネックレス９の他の一方の端部近傍を基部１３と両把持部１７のいずれか一方とで把持することにより、ネックレス９をリング状のものとすることができる。端部近傍の代わりに両端部を留め具１に把持させることによりネックレス９をリング状のものとしてもよい。装飾部２１は、前記ハート形のものに限らず、装飾効果を考慮した任意の形状のものを選択することができる。例えば、図６に示すようなバラの花を模した造形物からなる装飾部２１とすることができる。
【００３２】
次に、図３に示す留め具１の構造をより詳細に説明するため、装飾部２１を省略した留め具１の断面を示す図７と、基部１３の断面を両ブラケット１５と共に示す図８と、相互位置関係が未完成状態にある両ブラケット１５及び基部１３の側面図である図９と、組み込みにより把持部１７とされる部品の正面図である図１０と、両把持部１７を、図７に示す状態（後に言及する近接状態）から枢動させることにより生じた状態（後に言及する離隔状態）における留め具１の底面図である図１１とを参照する。
【００３３】
留め具１の基部１３は、全体に細長い柱状の本体２５と、該本体の両端からその長手方向へそれぞれ伸びる一対の突出端部２７とを備える。各突出端部２７は全体にＬ形の外形を有する。本体２５には、その内部をその長手方向へ伸びかつ本体２５の両端で開放する空間２９が設けられている（図７、８参照）。
【００３４】
空間２９には、枢動制限機構１９の一部をなす板ばね３０が配置されかつ保持されている。板ばね３０は、空間２９内を該空間の長手方向へ伸び、その両端部がそれぞれ本体２５から両突出端部２７に突出している。両突出端部２７は板ばね３０の長手方向（空間２９の長手方向）への移動を制限する作用をなす。また、本体２５の空間２９と両突出端部２７とは、板ばね３０が平坦な状態から把持部１７に向けて凸に湾曲する状態へと弾性変形することを許容する形状が設定されている。板ばね３０は、両突出端部２７にそれぞれ設けられた一対の孔２８を通して、空間２９内にその外部から挿入することができる。なお、符号３１（図７、８）は例えば金属製の装飾部２１を基部１３にロウ付けする場合に該基部に設けられることがあるピンを示す。
【００３５】
各対の両ブラケット１５は各突出端部２７の両側方から該突出端部を挟んで互いに平行に伸びている。両ブラケット１５は、これらの間への各把持部１７の配置の便宜のため、これらの先端が開いた非平行状態におかれ（図９に実線で示す）、両ブラケット１５間への把持部１７及び枢軸３５の配置後に互いに平行になるまで折り曲げられる（図９に２点鎖線で示す）。
【００３６】
各把持部１７は、全体にＬ形を呈し（図１０参照）、その一端部３３に枢軸３５（図７参照）が通される軸孔３７が設けられている。各把持部１７とその軸孔３７を貫通する枢軸３５との両ブラケット１５への取り付けは、次のようにして行うことができる。すなわち、把持部１７とこれに通された枢軸３５とを前記先端が開いた非平行状態の両ブラケット１５間に挿入し、次に、両ブラケット１５にそれぞれ設けられた軸受孔３９に枢軸３５の両端部を通し、両ブラケット１５に折り曲げ加工を施してこれらを平行にする共に、枢軸３５の両端部にかしめ加工を施すことによる。なお、各把持部１７は、ブラケット１５無しで、基部１３に直接に枢着してもよい。
【００３７】
把持部１７の一端部３３は山形を成すように形成され、その稜線を規定する２つの部分４１，４３を有する。また、把持部１７はその全体形状であるＬ形のもう一つの端に位置する他端部４５を有する。他端部４５は、把持部１７が両ブラケット１５に枢着された状態で見て、一端部３３を基端部分とする自由端部分をなす。
【００３８】
２つの把持部１７は、これらの他端部（自由端部分）４５がそれぞれ基部１３に対して近接した位置にある近接状態（図３及び図７に示す状態）と、基部１３から離れた位置にある離隔状態（図１１及び後述の図１３に示す状態）とに選択的におかれるように、枢軸３５の周りに枢動させることができる。把持部１７の枢動、特に前記近接状態から前記離隔状態への移行のための枢動は、把持部１７の両端部３３，４５間に設けられ前記Ｌ形の直角部に位置する指掛け部４７（図１０）に指Ｆ（留め具１の他の例を示す図１３参照）を掛けてこれに外力を及ぼすことにより行うことができる。具体的には、図１３に示す人差し指の方向に親指を押すだけで簡単に移行できる。このように押すだけで移行できることは、過度な外力が加わると壊れかねない花飾り等を利用する場合に特に有効である。指掛け部４７には、指Ｆの滑りを少なくするための刻み目４８を形成することができる。また、指掛け部４７は、図６、図１２及び図１３に示す他の留め具１におけるように、装飾部２１の形状により適合すると考えられる形状のものに設定することができる。
【００３９】
図７に示すように、各把持部１７の一端部３３における一方の部分４１は、各把持部１７が前記近接状態におかれたとき、基部１３の各突出端部２７内において板ばね３０に押圧力を及ぼし、他方、板ばね３０はこの押圧力を受けて弾性変形し前記凸状に湾曲している。このことから、図７で見て左側及び右側の両把持部１７は、それぞれ、一方の部分４１を介して受ける板ばね３０の弾性復帰力により反時計方向及び時計方向に枢動するように強制され（枢動傾向があるようにされ）、両把持部１７の他端部（自由端部分）４５が基部１３の本体２５に接している。このような事情から、把持部１７の一方の部分４１を受圧部分（第１の受圧部分）と称する。
【００４０】
他方、把持部１７を枢動させて前記近接状態から前記離隔状態へと移行させると、この移行の間に板ばね３０に対する押圧箇所がその一方の部分４１から他方の部分４３へと変わる。このため、前記離隔状態にある把持部１７（図１１）は、他方の部分４３を介して、板ばね３０の弾性復帰力を受ける。その結果、図７で見て左側及び右側の両把持部１７は、それぞれ、時計方向及び反時計方向に枢動傾向にあるようにされ、各把持部１７の他端部（自由端部分）４５と基部１３の本体２５との間の通過空間４９（図１２及び１３）が存するように維持される。このような事情から、把持部１７の他方の部分４３を受圧部分（第２の受圧部分）と称する。
【００４１】
両把持部１７が前記近接状態にあるとき、ネックレスの両糸部分Ａ５，Ｂ５がそれぞれ両把持部１７と基部１３の本体２５との間に形成される把持空間３２内に把持される。これにより、ネックレス７，９の１対の珠Ａ３と他の一対の珠Ｂ３とが互いに並列にされた状態で結束される。例えば、一方の手に留め具１を持ちかつ他方の手にネックレスを持った状態で、一方の把持部１７を前記隔離状態におき又は予め前記隔離状態にしておいて、これにより生じた一方の把持部１７と基部１３の本体２５との間の通過空間４９を通して所望位置にある一対の珠Ａ３間の糸部分Ａ５を本体２５に向けて移動し、次いで本体２５に押し付け、次いで一方の把持部１７を枢動させてこれを前記近接状態におく。この状態下で、他の一方の把持部１７を前記隔離状態におき又は前記隔離状態にしておいて、他の一方の把持部１７と基部１３の本体２５との間に生じた通過空間４９を通して所望位置にある一対の珠Ｂ３間の糸部分Ｂ５を本体２５に向けて移動し、次いで本体２５に押し付け、次いで他の一方の把持部１７を枢動させてこれを前記近接状態におく。このようにして、前記結束のための一対の珠Ａ３の把持操作及び一対の珠Ｂ３の把持操作を個別に、また順次に行うことができる。
【００４２】
ところで、留め具１の基部１３の本体２５に対する各糸部分Ａ５，Ｂ５の押し付けに際しては、本体２５が、相対的に、各対の珠Ａ３，Ｂ３を押し退けてこれらの珠間に分け入り、各糸部分Ａ５，Ｂ５を引き伸ばす作用をなす（押し退けずに単に分け入るだけの場合もある）。各対の珠Ａ３，Ｂ３間への分け入り及び各糸部分Ａ５，Ｂ５の引き伸ばし量を最小限とするため、各糸部分Ａ５，Ｂ５が押し付けられる本体２５の一部５１をこれがテーパー状をなすように形成することが好ましい（図８及び１１参照）。さらに、各対の把持部１７も同様に各対の珠Ａ３，Ｂ３間に分け入る構造を有するため、この分け入ることとなる部分５３もまたテーパー状にかつ湾曲形状を有するように形成することが好ましい（図１０参照）。当該部分５３の湾曲が基部１３と相まって把持空間３２を形成する（図７参照）。
【００４３】
また、好ましくは、両把持部１７が前記近接状態にあるとき、これらの自由端部分４５が基部１３の本体２５に設けられた共通の１つの溝５５に受け入れられるようにされる。各把持部１７の自由端部分４５は、溝５５に受け入れられやすいように、その先端がテーパー状にされている。
【００４４】
ネックレス７，９の一部Ａ，Ｂの前記結束は、両把持部１７をそれぞれ枢動操作してこれらを前記離隔状態におくことにより解除することができ、これにより、ネックレス７，９から留め具１を取り外し、ネックレス７，９を元の形状に戻すことができる。
【００４５】
枢動制限機構１９は、板ばね３０と、各把持部１７に設けられた第１の受圧部分４１及び第２の受圧部分４３とからなる。板ばね３０と第１の受圧部分４１とは、前記したところから、各把持部１７の自由端部分４５が前記近接状態から前記離隔状態へ移行しないように各把持部１７の枢動を制限する作用をなす。また、板ばね３０と第２の受圧部分４３とは、各把持部１７の自由端部分４５が前記隔離状態から前記近接状態へ移行しないように各把持部１７の枢動を制限する作用をなす。ただし、第２の受圧部分４３は、これを設けることを省略することができる。
【００４６】
枢動制限機構１９の一部を構成する１つの板ばね３０に代えて、例えば２つのコイルばね（図示せず）とすることができる。これらの２つのコイルばねは、両把持部１７の第１及び第２の受圧部分４１，４２に対してそれぞれ弾性復帰力を及ぼすように基部１３内に配置することができる。
【００４７】
（変形例）
図１４乃至１６を参照しながら、本実施形態の変形例を説明する。多少形状は異なるが本実施形態の留め具１と本変形例の留め具１´とは構造的にほとんど同じであり、両者異なるのは把持空間の数のみである。したがって、ここでは把持空間についてのみ説明を行い、両者共通する部位については本実施形態で使用した番号と同じ番号にダッシュ（´）を付して使用し、それらの説明を省略する。
【００４８】
図１４に示す留め具１´において、基部１３´と各把持部１７´との間に形成される把持空間は、ネックレス７´（図１６参照）を把持する把持空間３２ａと、把持空間３２ａに隣接する他の把持空間３２ｂによって構成されている。把持空間３２ｂは、ネックレス７´とは別のひも状装身具（たとえば、ネックレス７´と同一又は類似の連珠ネックレス）を把持するための空間である。このように構成することにより、ネックレス７´と、これとは別のひも状装身具を併せて把持することが可能になる。図１５及び１６に示すように、把持空間３２ａと、これより小径の把持空間３２ｂ´を形成することにより、ネックレス７´と金属チェーンＣを併せて把持することもできる。複合的装飾に最適である。ネックレスを含めた複数種のひも状装身具を用いる場合に、１種類に比べその把持がより面倒になるが、前掲した背景技術の欄で述べた従来の留め具では、複数種のひも状装身具を同時に把持させなければならず、１種類でもたいへんなのであるから複数種では不可能に近いぐらいの状態になる。この点、本変形例に係る留め具によれば、一方の一対の珠と他方の一対の珠を別々に留めることができるので、複数種のひも状装身具の留めを効率よく行うことができる。
【符号の説明】
【００４９】
１  留め具
３  ネックレスの珠
５  ネックレスの糸
７，９  ネックレス
１３  留め具の基部
１７  留め具の把持部
１９  留め具の枢動制限機構
２１  留め具の装飾部
３０  枢動制限機構の一部をなす板ばね
４１，４３  枢動制限機構の一部をなす第１の受圧部分及び第２の受圧部分
【図１】
0005553260.tif 000002
【図２】
0005553260.tif 000003
【図３】
0005553260.tif 000004
【図４】
0005553260.tif 000005
【図５】
0005553260.tif 000006
【図６】
0005553260.tif 000007
【図７】
0005553260.tif 000008
【図８】
0005553260.tif 000009
【図９】
0005553260.tif 000010
【図１０】
0005553260.tif 000011
【図１１】
0005553260.tif 000012
【図１２】
0005553260.tif 000013
【図１３】
0005553260.tif 000014
【図１４】
0005553260.tif 000015
【図１５】
0005553260.tif 000016
【図１６】
0005553260.tif 000017